(57)【要約】【課題】装飾美が優れていて、火災の発生時に有毒ガスの発生を防止して、施工が簡便に行われる、建築物仕上げパネルの連結構造を提供する。【解決手段】本発明によれば、「コ」字型の断面を有して、隣接して位置するパネルの側面板が両側面に各々結合され、底面は壁面に固定部材によって固定される連結部材と、連結部材の両側面と各々結合されたパネルの側面を密着させた状態で一体に固定する複数の締結部材と、連結部材の両側面に各々結合固定された隣接して位置するパネルの側面板間の隙間に挿入されて固定される金属材の目地仕上げ材とを含む、建築物仕上げパネルの連結構造が提供される。【選択図】図２
2010174613.tif 000002
【特許請求の範囲】
【請求項１】
「コ」字型の断面を有して、隣接して位置するパネルの側面板が両側面に各々結合され、底面は壁面に固定部材によって固定される連結部材と、
前記連結部材の両側面と各々結合されたパネルの側面を密着させた状態で一体に固定する複数の締結部材と、
前記連結部材の両側面に各々結合固定された隣接して位置するパネルの側面板間の隙間である目地に挿入されて固定されて、金属板材を片側に凹ませたり膨らませて形成される断面を有する形状に成型して使用される金属材の目地仕上げ材とを含み、
前記連結部材の両側面に各々結合固定されるパネルの側面板において、互いに対向する目地の側面には前記目地仕上げ材の断面の両側端部が係止される係止突起を突出形成する、建築物仕上げパネルの連結構造。
【請求項２】
前記目地仕上げ材は、円弧形状、「Ｕ」字型、「Ｗ」字型、一側辺（互いに平行な上辺及び下辺のうちの相対的に長さが長い下辺）がない台形から選択した断面形状に成型される、請求項１に記載の建築物仕上げパネルの連結構造。
【請求項３】
前記目地仕上げ材の開口された側の両側端部には外側に突出するステップを形成する、請求項２に記載の建築物仕上げパネルの連結構造。
【請求項４】
前記目地仕上げ材は、開口された面がパネルの表面側に向かうように設置される、請求項１に記載の建築物仕上げパネルの連結構造。
【請求項５】
前記目地仕上げ材は、開口された面が目地の内側に向かうように設置される、請求項１に記載の建築物仕上げパネルの連結構造。
【請求項６】
前記目地仕上げ材の開口された側の両側端部を締結部材を利用して固定する、請求項５に記載の建築物仕上げパネルの連結構造。
【請求項７】
前記係止突起から目地仕上げ材の断面の高さに対応する間隔をおいてパネルの側面板に支持突起を突出形成する、請求項１に記載の建築物仕上げパネルの連結構造。
【請求項８】
前記係止突起を目地の内側に行くほど傾斜して突出する形状に形成する、請求項１に記載の建築物仕上げパネルの連結構造。
【発明の詳細な説明】
【技術分野】
【０００１】
本発明は、建築物仕上げパネルの連結構造に関するものであって、より詳細には、パネルが互いに連結される目地部分を金属材の目地仕上げ材で仕上げることによって、装飾美が優れていて、火災の発生時に有毒ガスの発生を基本的に防止して、美しい外観を維持することができる、建築物仕上げパネルの連結構造に関するものである。
【背景技術】
【０００２】
一般に、建物の内壁及び外壁、天井、屋根などには、断熱及び防音、優れた装飾美などのために、仕上げパネルが付着設置される。
前記仕上げパネルは、壁面全体の大きさに対応する大きさに形成して付着することができないため、一定の大きさのパネルを製作し、互いに隣接して位置するように配置して設置している。したがって、パネルが互いに接する部分に目地と呼ばれる隙間が発生するようになる。
従来は、前記パネル間の隙間（目地）部分をシリコンなどを利用して埋めるコーキング作業を主に施工してきた（特許文献１参照）。
【先行技術文献】
【特許文献】
【０００３】
【特許文献１】特開２００１−３２３６３１
【発明の概要】
【発明が解決しようとする課題】
【０００４】
しかし、シリコンを利用して目地部分を埋めると、火災の発生時に有毒物質（ガス）が発生して、人体に害を及ぼす可能性が高い。さらに、目地部分を埋めているシリコンは、その材質の特性上、埃や汚れが付きやすく、美観を阻害し、衛生面でも不潔な印象を与える問題がある。
また、シリコンを利用して目地部分を埋めるコーキング作業（隙間部分が深い場合には数回のコーキング作業を繰り返して行う）は、非常に難しくて危険であるので、施工に多くの時間がかかり、多くの労働力が必要である。
【０００５】
本発明は、このような点に着眼して創案されたもので、パネル間の目地部分にシリコンを利用してコーキング作業を施工する代わりに、金属材の目地仕上げ材を挿入設置することによって、装飾美が優れていて、火災の発生時に有毒ガスの発生を防止して、施工が簡便な、建築物仕上げパネルの連結構造を提供することを目的とする。
【課題を解決するための手段】
【０００６】
本発明が提案する建築物仕上げパネルの連結構造は、「コ」字型の断面を有して、隣接して位置するパネルの側面板が両側面に各々結合され、底面は壁面に固定部材によって固定される連結部材と、前記連結部材の両側面と各々結合されたパネルの側面を密着させた状態で一体に固定する複数の締結部材と、前記連結部材の両側面に各々結合固定された隣接して位置するパネルの側面板間の隙間に挿入されて固定される金属材の目地仕上げ材とを含んで構成される。
【０００７】
前記目地仕上げ材は、金属板材を片側に凹ませたり膨らませて形成される円弧形状、「Ｕ」字型、「Ｗ」字型、一側辺（例えば、互いに平行な上辺及び下辺のうちの相対的に長さが長い下辺）がない台形などの断面を有する形状にベンディング加工したり押出成型して使用する。
前記目地仕上げ材は、長く形成した後でパネルの長さや幅に対応する長さに切断して使用することもでき、パネルの長さや幅に対応する長さに形成して使用することもできる。
【０００８】
前記連結部材の両側面に各々結合固定されたパネルの側面板において、互いに対向する面（目地に向かう面）には前記目地仕上げ材の断面の両側端部が係止される係止突起を突出形成することもできる。
【発明の効果】
【０００９】
本発明による建築物仕上げパネルの連結構造によれば、金属材からなる目地仕上げ材を目地部分に挿入することによって目地に対する仕上げ作業が行われるので、従来のシリコンを利用したコーキング作業に比べて施工が簡便で迅速に行われ、時間及び労働力が大幅に節減される。
【００１０】
そして、本発明による建築物仕上げパネルの連結構造によれば、金属材の目地仕上げ材を使用するので、火災の発生時に有毒ガスの発生を防止して、金属材特有の光沢及び色彩によって、美しくて高級感のある外観を提供することができる。さらに、水や布（はぎれやぞうきん）などを利用して容易に清掃することができるので、常に清潔な状態が維持される。
【図面の簡単な説明】
【００１１】
【図１】本発明による建築物仕上げパネルの連結構造の一実施例が適用された壁面を示した部分断面斜視図である。
【図２】本発明による建築物仕上げパネルの連結構造の一実施例を示した断面図である。
【図３】本発明による目地仕上げ材の第１実施例を示した斜視図である。
【図４】本発明による目地仕上げ材の第２実施例を示した斜視図である。
【図５】本発明による目地仕上げ材の第３実施例を示した斜視図である。
【図６】本発明による目地仕上げ材の第４実施例を示した斜視図である。
【図７】本発明による建築物仕上げパネルの連結構造の一実施例において、目地仕上げ材を反対方向に挿入した構成を示した断面図である。
【図８】本発明による目地仕上げ材の第５実施例を示した斜視図である。
【図９】本発明による目地仕上げ材の第６実施例を示した斜視図である。
【図１０】本発明による建築物仕上げパネルの連結構造の一実施例において、目地仕上げ材の第５実施例を適用した構成を示した断面図である。
【発明を実施するための形態】
【００１２】
それでは、本発明による建築物仕上げパネルの連結構造の好ましい実施例を図面を参照して詳細に説明する。
まず、本発明による建築物仕上げパネルの連結構造の一実施例は、図１乃至図３に示したように、連結部材１０、締結部材２０、及び目地仕上げ材３０を含んで構成される。
図１に示したように、形状及び大きさが規格化されたパネル２を一定の間隔で配列して壁面１に付着して仕上げ処理を行う時に、前記目地仕上げ材３０を使用して目地に対する仕上げ処理を行う。
【００１３】
前記連結部材１０は、図１及び図２に示したように、「コ」字型の断面を有するように形成する。例えば、前記連結部材１０は、両側面１４及び底面１２が「コ」字型、「Ｕ」字型、一側辺（例えば、互いに平行な上辺及び下辺のうちの相対的に長さが長い下辺）がない台形状、円弧形状などの断面を有するように一体に連結される形状に形成される。
前記連結部材１０は、パネル２の長さや幅に対応する長さに長く形成して使用することもでき、一定の間隔をおいて設置されるように短く形成して使用することもできる。
【００１４】
前記連結部材１０は、隣接して位置するパネル２の側面板３を両側面１４に各々結合させた状態で設置する。本実施例では、パネル２の側面板３の内面に連結部材１０の側面１４が接する状態に設置したが、パネル２の側面板３の外面に連結部材１０の側面１４が接する状態に設置することもできる。
前記連結部材１０は、底面１２を壁面（または屋根や床など）に固定部材９０によって固定することによって設置される。
前記固定部材９０は、一般のボルトやアンカーボルト、小さいねじ、釘などの多様な締結手段から選択して使用することができる。
【００１５】
前記締結部材２０は、前記連結部材２０の両側面１４と各々結合されたパネル２の側面板３を密着させた状態で一体に固定する機能を行う。
前記締結部材２０は、ボルト、小さいねじ、釘、リベットなどの多様な締結手段から選択して使用することができる。また、前記締結部材２０としては、図示しなかったが、接着剤を使用したり、溶接などを行うこともできる。
前記のように締結部材２０を使用して連結部材１０及びパネル２を互いに一体に連結固定することによって、パネル２が壁面に固定された状態を維持することができる。
【００１６】
前記目地仕上げ材３０は、図１及び図２に示したように、前記連結部材１０の両側面１４に各々結合固定される隣接して位置するパネル２の側面板３間の隙間に挿入されて固定される。
前記目地仕上げ材３０は、特有の光沢及び色彩を有して、火災の発生時に有毒ガスが発生しない金属材で形成して使用する。
例えば、前記目地仕上げ材３０は、銅、アルミニウム、ステレンス鋼、メッキ鋼板などの多様な金属板材を利用して形成することができる。
【００１７】
前記目地仕上げ材３０は、金属板材を多様な形状に屈曲加工したり押出加工して使用する。
前記目地仕上げ材３０は、長く形成した後でパネル２の長さや幅に対応する長さに切断して使用することもでき、パネル２の長さや幅に対応する長さに形成して使用することもできる。
また、前記目地仕上げ材３０は、パネル２の長さや幅に関係なく一定の長さに形成した後で互いに密着させた状態で連続するように設置することもできる。
【００１８】
前記目地仕上げ材３０は、金属板材を片側に凹ませたり膨らませて形成される円弧形状、「Ｕ」字型、「Ｗ」字型、一側辺（例えば、互いに平行な上辺及び下辺のうちの相対的に長さが長い下辺）がない台形などの断面を有する形状に成型して使用する。
前記目地仕上げ材３０は、パネル２の表面側に中央部が膨らんで突出する状態に設置することもでき、目地の内側に中央部が凹んで入る状態に設置することもできる。つまり、前記目地仕上げ材３０の開口された面がパネル２の表面側に向かうように設置することもでき、目地側に向かうように設置することもできる。
【００１９】
前記目地仕上げ材３０の第１実施例は、図２及び図３に示したように、ほぼ「Ｗ」字型の断面を有するように成型する。
例えば、両側面の端部は高く、中央の屈曲部は低い形状の「Ｗ」字型の断面を有するように目地仕上げ材３０を成型して使用する。
【００２０】
前記目地仕上げ材３０の第２実施例は、図４に示したように、ほぼ一側辺（例えば、互いに平行な上辺及び下辺のうちの相対的に長さが長い下辺）がない台形の断面を有するように成型する。
前記目地仕上げ材３０の第３実施例は、図５に示したように、円弧形状または半円形状の断面を有するように成型する。
前記目地仕上げ材３０の第４実施例は、図６に示したように、中央は円弧形状であり、両端は水平な断面を有するように形成する。
【００２１】
前記のように、目地仕上げ材３０を多様な断面形状を有するように形成する場合には、目地仕上げ材３０の断面形状の両側端部が外側に広がろうとする弾性力を自然に保有するようになり、目地仕上げ材３０の両側端部を若干屈曲させた状態で目地（互いに隣接するパネル２の側面板３間の隙間）に挿入するようになると、目地仕上げ材３０の両側端部が広がって両側パネル２の側面板３を加圧するようになって、目地仕上げ材３０の結合状態が維持される。
【００２２】
そして、図３乃至図６に示したように、成型される目地仕上げ材３０を使用する場合には、図２に示したように、パネル２の側面板３に係止突起４０を形成して、目地仕上げ材３０を固定支持することもできる。
例えば、前記連結部材１０の両側面１４に各々結合固定されるパネル２の側面板３で互いに対向する面（目地に向かう面）に前記目地仕上げ材３０の断面の両側端部が係止される係止突起４０を突出形成する。
【００２３】
前記のように係止突起４０を形成すると、前記目地仕上げ材３０をパネル２の表面側から目地の内側に強制的に挿入する作業によって、目地仕上げ材３０の施工が簡便に完了する効果が得られる。
前記で、係止突起４０を目地の内側に傾斜して突出形成すると、目地仕上げ材３０の両側端部に対する支持がより確実に行われる。
【００２４】
前記で、目地仕上げ材３０をパネル２の表面側から目地の内側に強制的に挿入すると（図２に一点鎖線で示した）、目地仕上げ材３０の両側端部が係止突起４０と接して内側に縮むように変形して係止突起４０を越え、金属材からなる目地仕上げ材３０そのものの弾性力によって内側に縮まった両側端部が係止突起４０の下で再び広がって、係止突起４０の下側（目地の内側）面に目地仕上げ材３０の両側端部が係止されるようになって（図２に実線で示した）、目地仕上げ材３０の離脱が防止される。
したがって、目地仕上げ材３０を強制的に押して挿入するだけで、目地に対する仕上げ処理の施工が簡便に完了する。
【００２５】
そして、図２に示したように、前記係止突起４０から目地仕上げ材３０の断面の高さに対応する間隔をおいてパネル２の側面板３に支持突起４２を突出形成することもできる。
前記のように支持突起４２を形成すると、係止突起４０を越えて挿入された目地仕上げ材３０の底面側の表面を支持突起４２が加圧するようになり、目地仕上げ材３０は、係止突起４０及び支持突起４２間に堅固に挟まれた状態で確実に挿入されて固定される。
前記で、支持突起４２の突出の長さを係止突起４０の突出の長さより長く形成することが、開口された面の両側端部に比べて相対的に狭く形成される目地仕上げ材３０の中央部側を効果的に支持することができるので好ましい。
【００２６】
図２には、図３に示した目地仕上げ材３０の第１実施例を適用した状態を示したが、図４乃至図６に示した目地仕上げ材３０の第２実施例乃至第４実施例の場合にも、同一な結合過程によって施工が行われて、同一な作用効果を得ることができる。
【００２７】
そして、前記では、目地仕上げ材３０の開口された面を目地の外側（パネル２の表面側）に向かうように挿入設置することを説明したが、本発明は、図７に示したように、前記目地仕上げ材３０の開口された面を目地の内側に向かうように挿入設置することもできる。
前記のように、目地仕上げ材３０の開口された面を目地の内側に向かうように挿入設置する場合には、開口された面の両側端部に比べて相対的に狭く形成される目地仕上げ材３０の中央部側を効果的に支持することができるように、係止突起４０を支持突起４２より長く形成するのが好ましい。
【００２８】
前記で、係止突起４０及び支持突起４２は、パネル２の側面板３の長さ全体に対して形成することもでき、一部にだけ形成することもできる。
前記係止突起４０及び支持突起４２は、パネル２の側面板３から別途に延長されて突出されて一体に形成することもでき、パネル２の側面板３の一部を切断（パンチング加工）して目地側（外側）に突出させて一体に形成することもできる。
【００２９】
なお、図７では、目地仕上げ材３０の開口された側の両端部を支持突起４２で支持したが、支持突起４２を形成しないで、パネル２の側面板３に突出している締結部材２０で目地仕上げ材３０の開口された側の両端部を固定してもよい。
【００３０】
そして、前記目地仕上げ材３０の第５実施例は、図８に示したように、開口された面の両側端部の外側に突出するステップ３５を形成する。
例えば、図８に示した一側辺がない台形の断面形状を有する目地仕上げ材３０において、両側端部を外側に丸く巻くシーム工法によってステップ３５を形成する。
図９には、前記目地仕上げ材３０の第６実施例を示し、ステップ３５が階段形状になるように両側端部をベンディング加工することによって形成する。
【００３１】
前記のようにステップ３５を形成するようになると、図１０に示したように、パネル２の側面板３に形成される係止突起４０にステップ３５が係止されて、目地仕上げ材３０が結合された状態を維持して、目地仕上げ材３０が離脱するのを防止する。
前記で、目地仕上げ材３０にステップ３５を形成する場合には、係止突起４０を目地の内側に行くほど傾斜して突出する形状に形成することが、目地仕上げ材３０が離脱する方向に移動する時に前記係止突起４０がステップ３５の内側に食い込んで、より確実な結合が維持されるのでより好ましい。
前記のように、目地仕上げ材３０にステップ３５を形成する場合には、パネル２の側面板３に支持突起４２を追加的に形成しなくてもよい。
【００３２】
前記実施例では、目地仕上げ材３０の断面形状を数種類だけ例に挙げて説明したが、本発明はこれに限定されず、弾性力を保有する多様な形状に目地仕上げ材３０を成型して使用することができ、パネル２間の目地を美しく装飾するために、目地の表面に露出される目地仕上げ材３０の中央部に多様な形状及び模様を付与することもできる。
【００３３】
前記では、本発明による建築物仕上げパネルの連結構造の好ましい実施例について説明したが、本発明はこれに限定されず、特許請求の範囲、発明の詳細な説明、及び添付した図面の範囲内で多様に変形して実施することができ、これも本発明の範囲に属する。
【符号の説明】
【００３４】
１    壁面
２    パネル
３    側面板
１０  連結部材
１２  底面
１４  側面
２０  締結部材
３０  目地仕上げ材
３５  ステップ
４０  係止突起
４２  支持突起
９０  固定部材
【図１】
2010174613.tif 000003
【図２】
2010174613.tif 000004
【図３】
2010174613.tif 000005
【図４】
2010174613.tif 000006
【図５】
2010174613.tif 000007
【図６】
2010174613.tif 000008
【図７】
2010174613.tif 000009
【図８】
2010174613.tif 000010
【図９】
2010174613.tif 000011
【図１０】
2010174613.tif 000012